(57)【要約】【課題】様々なサービスを適切なタイミングで利用者に提供する。【解決手段】身体温冷システムは、利用者の体温を調節する身体温冷装置１０と、無線通信回線網を介して身体温冷装置１０と情報伝達可能に接続されるサーバ２と、サーバ２と情報伝達可能に接続される現場監督者端末６とを備えている。サーバ２は、管理情報を身体温冷装置１０から収集する管理情報収集部と、管理情報を分析することにより状態分析結果を作成する分析部と、状態分析結果を現場監督者端末６に配信する配信部とを備えている。【選択図】図１３
2020061101.tif 000002
【特許請求の範囲】
【請求項１】
利用者の体温を調節する身体温冷装置と、
無線通信を介して前記身体温冷装置と情報伝達可能に接続されるサーバと、
前記サーバと情報伝達可能に接続される端末とを備え、
前記サーバは、
前記身体温冷装置の運転に関する管理情報を前記身体温冷装置から収集する収集部と、
前記管理情報を分析することにより状態分析結果を作成する分析部と、
前記状態分析結果を前記端末に配信する配信部とを有する
身体温冷システム。
【請求項２】
前記管理情報は、前記身体温冷装置が配置される位置を含む
請求項１に記載の身体温冷システム。
【請求項３】
前記状態分析結果は、前記位置を地図上に表現する画像であり、
前記端末は、前記画像を表示装置に表示する
請求項２に記載の身体温冷システム。
【請求項４】
前記サーバは、制御情報を前記身体温冷装置に配信する制御部をさらに有し、
前記身体温冷装置は、前記制御情報を受信したときに、前記制御情報が示す所定の動作を実行する
請求項１から請求項３のいずれか一項に記載の身体温冷システム。
【請求項５】
利用者の体温を調節する温調部と、
前記温調部の運転に関する管理情報を作成する制御装置と、
無線通信を介して前記管理情報をサーバに送信する通信装置
とを備える身体温冷装置。
【請求項６】
前記温調部が配置される位置を測定する位置センサをさらに備え、
前記管理情報は、前記位置をさらに示す
請求項５に記載の身体温冷装置。
【請求項７】
前記通信装置は、前記無線通信を介して前記サーバから制御情報を受信し、
前記制御装置は、前記制御情報に基づいて前記温調部を制御する
請求項５または請求項６に記載の身体温冷装置。
【請求項８】
音響装置をさらに備え、
前記制御装置は、前記制御情報が示す音声が前記音響装置から出力されるように前記音響装置を制御する
請求項７に記載の身体温冷装置。
【発明の詳細な説明】
【技術分野】
【０００１】
本開示の技術は、身体温冷システムおよび身体温冷装置に関する。
【背景技術】
【０００２】
利用者の頸動脈を流れる血液の温度（以下、頸動脈の温度と称する）を冷却または加熱することにより、利用者の体温を調節する体温調節システムが知られている（特許文献１、２参照）。図１は、公知の体温調節システムを示す斜視図である。図１に示すように、特許文献１に記載される体温調節システムの本体装置１３０は、内側の面１３１ａで利用者の頸部に接触する体温調整動作部としての頸部冷暖部１３１を備えている。頸部冷暖部１３１は、利用者の頸部に取り付けられるために略Ｕ字型に形成されており内側に面１３１ａを有するＵ字部１３１ｂと、Ｕ字部１３１ｂの外側の面に複数個取り付けられた四角形のブロックであるペルティエ素子１３１ｃとを備えている。また、本体装置１３０は、一部が頸部冷暖部１３１のペルティエ素子１３１ｃのうちＵ字部１３１ｂ側とは反対側の面に密接して取り付けられて内部に水を循環させるチューブ１３２と、頸部冷暖部１３１のペルティエ素子１３１ｃに接続された電力供給用のケーブル１３３と、チューブ１３２およびケーブル１３３が接続された筐体１３４と、筐体１３４に接続された電力供給用のケーブル１３５と、ケーブル１３５が接続された筐体１３６とを備えている。頸部冷暖部１３１は、利用者の体温のうち深部体温を調節するための動作として、利用者に対して加温および冷却を実行するようになっている。ペルティエ素子１３１ｃは、Ｕ字部１３１ｂに接する面と、チューブ１３２に接する面とのうち一方が発熱して、他方が吸熱するように、頸部冷暖部１３１に配置されている。ペルティエ素子１３１ｃのうちＵ字部１３１ｂに接する面が発熱するとき、Ｕ字部１３１ｂは、ペルティエ素子１３１ｃで発生した熱を利用者の頸部の全周に伝達することによって、利用者に対して加温を実行するようになっている。また、ペルティエ素子１３１ｃのうちＵ字部１３１ｂに接する面が吸熱するとき、Ｕ字部１３１ｂは、利用者の頸部の全周の熱をペルティエ素子１３１ｃに伝達することによって、利用者に対して冷却を実行するようになっている。筐体１３４および筐体１３６は、利用者が身に付けているベルトに取り付けられるようになっている。筐体１３４の内部には、チューブ１３２の内部の水を冷却するための図示していないラジエータが収納されている。また、このような体温調節システムを利用する利用者に提供される様々なサービスが提案されている。
【先行技術文献】
【特許文献】
【０００３】
【特許文献１】特開２０１５−１００４８９号公報
【特許文献２】特開２０１１−８３４９８号公報
【発明の概要】
【発明が解決しようとする課題】
【０００４】
しかしながら、このサービスは、利用者が必要とするタイミングに適切に提供されることが困難である。
【０００５】
開示の技術は、かかる点に鑑みてなされたものであって、様々なサービスが適切なタイミングで利用者に提供される身体温冷システムおよび身体温冷装置を提供することを目的とする。
【課題を解決するための手段】
【０００６】
開示の態様では、身体温冷システムは、利用者の体温を調節する身体温冷装置と、無線通信を介して身体温冷装置と情報伝達可能に接続されるサーバと、サーバと情報伝達可能に接続される端末とを備えている。サーバは、身体温冷装置の運転に関する管理情報を身体温冷装置から収集する収集部と、管理情報を分析することにより状態分析結果を作成する分析部と、状態分析結果を端末に配信する配信部とを有している。
【発明の効果】
【０００７】
開示の身体温冷システムおよび身体温冷装置は、様々なサービスが適切なタイミングで利用者に提供されることができる。
【図面の簡単な説明】
【０００８】
【図１】図１は、公知の体温調節システムを示す斜視図である。
【図２】図２は、実施形態の身体温冷システムを示すブロック図である。
【図３】図３は、実施形態の身体温冷装置を示す斜視図である。
【図４】図４は、実施形態の身体温冷装置の温調部を示す斜視図である。
【図５】図５は、実施形態の身体温冷装置の温調部を示す側面図である。
【図６】図６は、実施形態の身体温冷装置の熱交換部を示す斜視図である。
【図７】図７は、実施形態の身体温冷装置の熱交換部の筐体の内部を示す斜視図である。
【図８】図８は、実施形態の身体温冷装置の熱交換部が衣服に取り付けられた状態を示す側面図である。
【図９】図９は、実施形態の身体温冷装置を示すブロック図である。
【図１０】図１０は、実施形態の身体温冷システムの現場監督者端末を示すブロック図である。
【図１１】図１１は、実施形態の身体温冷システムのサーバを示すブロック図である。
【図１２】図１２は、実施形態の身体温冷システムの警備業者端末の表示装置に表示される状態分析結果画面を示す図である。
【図１３】図１３は、実施形態の身体温冷システムの動作を示すシーケンス図である。
【発明を実施するための形態】
【０００９】
以下に、本願が開示する実施形態にかかる身体温冷システムおよび身体温冷装置について、図面を参照して説明する。なお、以下の記載により本開示の技術が限定されるものではない。また、以下の記載においては、同一の構成要素に同一の符号を付与し、重複する説明を省略する。
【００１０】
実施形態の身体温冷システム１は、図２に示されているように、サーバ２が複数の情報処理装置と情報伝達可能に接続されている。図２は、実施形態の身体温冷システム１を示すブロック図である。複数の情報処理装置は、複数の身体温冷装置３と警備業者端末５と現場監督者端末６とを含んでいる。複数の身体温冷装置３のうちの任意の身体温冷装置１０は、利用者の体温を調節することに利用される機器である。身体温冷装置１０は、無線通信回線網７に設けられている複数の基地局のいずれかに無線通信を介して情報伝達可能に接続され、無線通信回線網７を介してサーバ２に双方向に情報伝達可能に接続されている。警備業者端末５は、警備業者により利用され、通信回線網８を介してサーバ２に接続されている。現場監督者端末６は、警備業者の現場監督者により利用される。現場監督者端末６は、通信回線網８に設けられている複数の基地局のいずれかに無線通信を介して情報伝達可能に接続され、通信回線網８を介してサーバ２に双方向に情報伝達可能に接続されている。
【００１１】
図３は、実施形態の身体温冷装置１０を示す斜視図である。身体温冷装置１０は、温調部１１と熱交換部１２とホース部１４とを備えている。ホース部１４は、曲げることができるホースから形成され、一端が温調部１１に接合され、他端が熱交換部１２に接合されている。ホース部１４は、第１パイプ１５と第２パイプ１６と電力線１７と通信線１８とをホースの内部に収容している。第１パイプ１５は、温調部１１から熱交換部１２に冷却水を流す流路を形成している。第２パイプ１６は、熱交換部１２から温調部１１に冷却水を流す流路を形成している。電力線１７は、熱交換部１２から温調部１１に電力を供給する電路を形成している。通信線１８は、熱交換部１２と温調部１１との間で情報を双方向に伝送する伝送路を形成している。
【００１２】
図４は、実施形態の身体温冷装置１０の温調部１１を示す斜視図である。温調部１１は、帯状部材２０を備えている。帯状部材２０は、屈曲した帯状に形成されている。帯状部材２０は、右側固定部材２２−１と左側固定部材２２−２と連結部２３とを備えている。右側固定部材２２−１は、帯状部材２０の一端を形成している。左側固定部材２２−２は、帯状部材２０の他端を形成している。右側固定部材２２−１と左側固定部材２２−２とは、右側固定部材２２−１に形成される右側内側面２１−１と左側固定部材２２−２に形成される左側内側面２１−２とが互いに概ね対向するように、配置されている。
【００１３】
連結部２３は、曲げることができる材料から形成され、右側固定部材２２−１と左側固定部材２２−２とを繋いでいる。連結部２３は、板バネ（図示されていない）を備えている。板バネは、連結部２３の内部に配置されている。板バネは、右側固定部材２２−１と左側固定部材２２−２とが離されたときに、弾性変形し、右側固定部材２２−１と左側固定部材２２−２とが接近するように、右側固定部材２２−１と左側固定部材２２−２とに弾性力を与える。
【００１４】
温調部１１は、右耳掛け部材２４−１と左耳掛け部材２４−２とをさらに備えている。右耳掛け部材２４−１は、右耳に引っ掛かるように、屈曲した棒状に形成されている。右耳掛け部材２４−１は、右側固定部材２２−１に固定されている。左耳掛け部材２４−２は、左耳に引っ掛かるように、屈曲した棒状に形成されている。左耳掛け部材２４−２は、左側固定部材２２−２に固定されている。
【００１５】
温調部１１は、複数の温調部材２５−１〜２５−３を備えている。複数の温調部材２５−１〜２５−３のうちの右側温調部材２５−１は、右側接触面２６−１が形成されている。右側温調部材２５−１は、右側接触面２６−１が右側内側面２１−１から露出するように、右側固定部材２２−１の内部に配置され、右側固定部材２２−１に固定されている。複数の温調部材２５−１〜２５−３のうちの左側温調部材２５−２は、左側接触面２６−２が形成されている。左側温調部材２５−２は、左側接触面２６−２が左側内側面２１−２から露出するように、左側固定部材２２−２の内部に配置され、左側固定部材２２−２に固定されている。複数の温調部材２５−１〜２５−３のうちの後側温調部材２５−３は、後側接触面２６−３が形成されている。後側温調部材２５−３は、連結部２３の後側内側面２１−３から後側接触面２６−３が露出するように、連結部２３の内部に配置され、連結部２３に固定されている。
【００１６】
このとき、右耳掛け部材２４−１と右側温調部材２５−１とが右側固定部材２２−１に固定されることにより、右側温調部材２５−１と右耳掛け部材２４−１とが固定されている。左耳掛け部材２４−２と左側温調部材２５−２とが左側固定部材２２−２に固定されることにより、左側温調部材２５−２と左耳掛け部材２４−２とが固定されている。
【００１７】
温調部１１は、右側温調部材２５−１と左側温調部材２５−２と後側温調部材２５−３とに対応する３つのペルティエ素子２７−１〜２７−３を備えている。３つのペルティエ素子２７−１〜２７−３の各々は、板状に形成され、ホース部１４の電力線１７を介して電流が供給されることにより、一方の面が吸熱し、他方の面が発熱する。３つのペルティエ素子２７−１〜２７−３の各々は、その供給される電流の極性が逆転すると、その一方の面が発熱し、他方の面が吸熱する。３つのペルティエ素子２７−１〜２７−３のうちの右側温調部材２５−１に対応する右側ペルティエ素子２７−１は、右側温調部材２５−１の内部に配置されている。３つのペルティエ素子２７−１〜２７−３のうちの左側温調部材２５−２に対応する左側ペルティエ素子２７−２は、左側温調部材２５−２の内部に配置されている。３つのペルティエ素子２７−１〜２７−３のうちの後側温調部材２５−３に対応する後側ペルティエ素子２７−３は、後側温調部材２５−３の内部に配置されている。
【００１８】
温調部１１の帯状部材２０は、ホース部１４の第２パイプ１６を介して温調部１１に供給される冷却水と、右側温調部材２５−１のうちの右側接触面２６−１の反対側の右側放熱面とを熱的に接触させている。帯状部材２０は、さらに、第２パイプ１６を介して温調部１１に供給される冷却水と左側温調部材２５−２のうちの左側接触面２６−２の反対側の左側放熱面とを熱的に接触させている。帯状部材２０は、さらに、第２パイプ１６を介して温調部１１に供給される冷却水と後側温調部材２５−３のうちの後側接触面２６−３の反対側の後側放熱面とを熱的に接触させている。帯状部材２０は、右側放熱面と左側放熱面と後側放熱面とに接触した後の冷却水を、ホース部１４の第１パイプ１５を介して熱交換部１２に送出する。
【００１９】
図５は、実施形態の身体温冷装置１０の温調部１１を示す側面図である。温調部１１は、突起部２７をさらに備えている。突起部２７は、右耳掛け部材２４−１のうちの右側固定部材２２−１に接合されている端の反対側の端に接合されている。突起部２７は、生体情報センサ２８と音響装置２９とを備えている。生体情報センサ２８と音響装置２９とは、突起部２７に固定されている。生体情報センサ２８は、突起部２７が身体温冷装置１０の右耳６９の穴に入っているときに、身体温冷装置１０の利用者６８の体温と利用者６８の心拍数とを測定する。音響装置２９は、イヤホンであり、音声を出力する。
【００２０】
温調部１１は、利用者６８の身体に取り付けられることにより利用される。帯状部材２０は、利用者６８の首の周囲を囲むように、配置される。帯状部材２０は、さらに、利用者６８の首の後に後側温調部材２５−３の後側接触面２６−３が接触するように、配置される。帯状部材２０は、さらに、利用者６８の首の皮膚のうちの右頸動脈を覆う右頸動脈部分に右側温調部材２５−１の右側接触面２６−１が接触し、皮膚のうちの左頸動脈を覆う左頸動脈部分に左側温調部材２５−２の左側接触面２６−２が接触するように、配置される。このとき、連結部２３の板バネは、右側温調部材２５−１と左側温調部材２５−２とが首を挟むように、右側温調部材２５−１と左側温調部材２５−２とに弾性力を与える。帯状部材２０は、連結部２３の板バネの弾性力により、右側温調部材２５−１の右側接触面２６−１と左側温調部材２５−２の左側接触面２６−２とを利用者６８の首の皮膚の所定の部分に適切に接触させることができる。
【００２１】
温調部１１は、さらに、右耳掛け部材２４−１が利用者６８の右耳６９に引っ掛けられ、左耳掛け部材２４−２が利用者６８の左耳に引っ掛けられる。温調部１１は、右耳掛け部材２４−１が右耳６９に引っ掛けられることにより、右側温調部材２５−１が下向にずれ落ちることが防止され、右側温調部材２５−１の右側接触面２６−１を右頸動脈部分に適切に接触させることができる。温調部１１は、左耳掛け部材２４−２が左耳に引っ掛けられることにより、左側温調部材２５−２が下向にずれ落ちることが防止され、左側温調部材２５−２の左側接触面２６−２を左頸動脈部分に適切に接触させることができる。
【００２２】
温調部１１は、右耳掛け部材２４−１が利用者６８の右耳６９に引っ掛けられた後に、さらに、突起部２７が右耳６９の穴に入れられることにより、利用者６８に適切に取り付けられる。突起部２７は、右耳掛け部材２４−１に接合されることにより、温調部１１が利用者６８に適切に取り付けられるときに、右耳６９の穴から外れないように、右耳６９に適切に保持されることができる。生体情報センサ２８は、突起部２７が右耳６９に適切に保持されることにより、利用者６８の体温を適切に測定することができる。生体情報センサ２８は、突起部２７が右耳６９に適切に保持されることにより、利用者６８の心拍数を適切に測定することができる。音響装置２９は、突起部２７が右耳６９に適切に保持されることにより、音響装置２９から出力される音声を確実に利用者６８に聞かせることができる。
【００２３】
図６は、実施形態の身体温冷装置１０の熱交換部１２を示す斜視図である。熱交換部１２は、筐体３１とクリップ３２とを備えている。筐体３１は、底面が長方形である四角柱状に形成されている。筐体３１は、背面部３３と前面部３４と右側面部３５と左側面部３６と上面部３７とを備えている。背面部３３は、概ね長方形状に形成され、四角柱のうちの一方の底面に沿うように配置されている。前面部３４は、概ね長方形状に形成され、四角柱のうちの他方の底面に沿うように配置されている。右側面部３５は、概ね長方形状に形成され、四角柱のうちの１つの側面に沿うように配置されている。左側面部３６は、概ね長方形状に形成され、四角柱のうちの右側面部３５に沿う側面の反対側の側面に沿うように配置されている。上面部３７は、概ね長方形状に形成され、四角柱のうちのその２つの側面に隣り合う他の側面に沿うように配置されている。
【００２４】
クリップ３２は、背面部３３に支持されている。クリップ３２は、背面部３３が、利用者が着用した衣服の一部に対向するように、筐体３１を衣服の一部に保持する。衣服の一部としては、胸ポケット、ベルトが例示される。
【００２５】
筐体３１は、吸込み口４１と吹き出し口４２と接続口４３とが形成されている。吸込み口４１は、右側面部３５と左側面部３６と上面部３７とのうちの背面部３３に隣接する領域に形成されている。吹き出し口４２は、右側面部３５と左側面部３６と上面部３７とのうちの前面部３４に隣接する領域に形成されている。すなわち、吸込み口４１は、吹き出し口４２より背面部３３に近い側に配置されている。接続口４３は、上面部３７のうちの吸込み口４１と吹き出し口４２との間に形成されている。接続口４３は、ホース部１４の端が接合され、ホース部１４の第１パイプ１５と第２パイプ１６と電力線１７と通信線１８とが貫通している。
【００２６】
熱交換部１２は、図７に示されているように、バッテリ５１と送風機５２とポンプ５３と熱交換器５４とをさらに備えている。図７は、実施形態の身体温冷装置１０の熱交換部１２の筐体３１の内部を示す斜視図である。バッテリ５１は、筐体３１の内部のうちの上面部３７から遠い側の下部領域に配置されている。バッテリ５１は、直流の電流を生成する。
【００２７】
送風機５２は、筐体３１の内部のうちの上面部３７に近い側の上部領域に配置されている。送風機５２は、ファン５５とモータ５６とを備えている。ファン５５は、背面部３３に沿う平面に垂直である回転軸を中心に回転可能に支持されている。モータ５６は、バッテリ５１から供給される電力を用いてファン５５を回転させる。送風機５２は、ファン５５が回転することにより、筐体３１の内部に空気の流れを生成する。送風機５２は、筐体３１の内部に空気の流れを生成することにより、吸込み口４１から筐体３１の外部の空気を筐体３１の内部に吸い込む。送風機５２は、筐体３１の内部に空気の流れを生成することにより、さらに、その吸い込まれた空気を吹き出し口４２から筐体３１の外部に吹き出す。
【００２８】
ポンプ５３は、筐体３１の内部のうちの下部領域と上部領域との間の中間領域に配置されている。ポンプ５３は、バッテリ５１から供給される電力を用いて、冷却水を温調部１１と熱交換部１２との間で循環させる。すなわち、ポンプ５３は、バッテリ５１から供給される電力を用いて、ホース部１４の第１パイプ１５を介して冷却水を温調部１１から熱交換部１２に吸引し、ホース部１４の第２パイプ１６を介して冷却水を熱交換部１２から温調部１１に送出する。
【００２９】
熱交換器５４は、送風機５２により筐体３１の内部を流れる空気が熱交換器５４を通過するように、筐体３１の内部の上部領域のうちの送風機５２と背面部３３との間に配置されている。熱交換器５４は、水管と複数のフィンとを備えている。水管は、一端がホース部１４の第１パイプ１５に接合され、他端がホース部１４の第２パイプ１６に接合されている。複数のフィンは、送風機５２により熱交換器５４を通過する空気と、ポンプ５３により循環される冷却水とに熱的に接触している。熱交換器５４は、送風機５２により熱交換器５４を通過する空気と、ポンプ５３により熱交換器５４を通過する冷却水との間の熱交換を行う。
【００３０】
熱交換部１２は、身体温冷装置１０を用いて利用者６８の体温を調節するときに、図８に示されているように、利用者が着用した衣服７１に保持される。図８は、実施形態の身体温冷装置１０の熱交換部１２が、利用者が着用した衣服７１に取り付けられた状態を示す側面図である。熱交換部１２は、筐体３１の背面部３３が衣服７１に対向するように、配置される。衣服７１は、衣服７１を利用者６８の身体に固定させたり衣服７１のずれを防いだりするベルト７２を備えている。筐体３１は、背面部３３が衣服７１に対向している状態で、クリップ３２がベルト７２を把持することにより衣服７１に支持される。
【００３１】
身体温冷装置１０は、図９に示されているように、通信装置６５と位置センサ６６と制御装置６１とをさらに備えている。図９は、実施形態の身体温冷装置１０を示すブロック図である。通信装置６５は、無線通信回線網７に設けられる複数の基地局と無線通信する。位置センサ６６は、ＧＰＳ（Ｇｌｏｂａｌ  Ｐｏｓｉｔｉｏｎｉｎｇ  Ｓｙｓｔｅｍ）に例示される衛星測位システムで利用される複数の人工衛星から発射された電波を受信することに基づいて、温調部１１が配置される位置を測定する。
【００３２】
制御装置６１は、コンピュータであり、ＣＰＵ６２（Ｃｅｎｔｒａｌ  Ｐｒｏｃｅｓｓｉｎｇ  Ｕｎｉｔ）と記憶装置６３と入出力インタフェース６４とを備えている。ＣＰＵ６２は、制御装置６１にインストールされたコンピュータプログラムを実行することにより、記憶装置６３と入出力インタフェース６４とを制御する。記憶装置６３は、制御装置６１にインストールされるコンピュータプログラムを記録し、ＣＰＵ６２により利用される情報を記録する。入出力インタフェース６４は、身体温冷装置１０に設けられる複数のデバイスに接続されている。複数のデバイスは、右側温調部材２５−１と左側温調部材２５−２と後側温調部材２５−３と送風機５２とポンプ５３と生体情報センサ２８と音響装置２９と通信装置６５と位置センサ６６とを含んでいる。このとき、生体情報センサ２８と音響装置２９とは、通信線１８を介して入出力インタフェース６４に接続されている。ＣＰＵ６２は、入出力インタフェース６４を介して、複数のデバイスを制御する。
【００３３】
制御装置６１は、入力装置４８を介して入力される設定温度が設定されるように、入力装置４８を制御する。制御装置６１は、設定温度が記憶装置６３に記録されるように、記憶装置６３を制御する。制御装置６１は、筐体３１の内部に空気の流れが生成されるように、送風機５２を制御する。熱交換部１２は、筐体３１の内部に空気の流れが生成されることにより、吸込み口４１を介して、筐体３１の外部の空気を筐体３１の内部に吸い込む。熱交換部１２は、筐体３１の内部に空気の流れが生成されることにより、さらに、吹き出し口４２を介して、筐体３１の内部の空気を筐体３１の外部に吹き出す。制御装置６１は、ホース部１４を介して温調部１１と熱交換部１２との間で冷却水が循環するように、ポンプ５３を制御する。制御装置６１は、右側接触面２６−１の温度と左側接触面２６−２の温度と後側接触面２６−３の温度とが設定温度に等しくなるように、複数の温調部材２５−１〜２５−３を制御する。ペルティエ素子の接触面の温度は、供給する電流の大きさから推定するようにしても良いし、ペルティエ素子の接触面に設けられた温度センサによって検出されてもよい。
【００３４】
たとえば、制御装置６１は、右側温調部材２５−１の右側接触面２６−１の温度が設定温度より高いときに、右側ペルティエ素子２７−１のうちの右側接触面２６−１に近い側の面が吸熱するように、右側ペルティエ素子２７−１に電流を適切に供給する。右側温調部材２５−１の右側接触面２６−１は、右側ペルティエ素子２７−１のうちの右側接触面２６−１に近い側の面が吸熱することにより、冷却される。制御装置６１は、左側接触面２６−２と後側接触面２６−３との温度が設定温度より高いときに、同様に、左側ペルティエ素子２７−２と後側ペルティエ素子２７−３とに電流を適切に供給することにより、左側接触面２６−２と後側接触面２６−３とを冷却する。身体温冷装置１０は、右側接触面２６−１と左側接触面２６−２とが冷却されることにより、利用者６８の頸動脈を設定温度に応じて冷却することができる。利用者６８は、頸動脈が冷却されることにより、頸動脈を流れる血液が適切に冷却され、体温が低下する。
【００３５】
右側ペルティエ素子２７−１は、右側接触面２６−１に近い側の面が吸熱するときに、右側接触面２６−１から遠い側の面が発熱する。右側温調部材２５−１のうちの右側接触面２６−１の反対側の右側放熱面は、右側ペルティエ素子２７−１のうちの右側接触面２６−１から遠い側の面が発熱することにより、身体温冷装置１０が配置される環境の空気の温度より高い温度に加熱されればよい。身体温冷装置１０が配置される環境の空気の温度は、温調部１１あるいは熱交換部１２に外気温センサを設けることで検出するようにすればよい。右側温調部材２５−１の右側放熱面は、ホース部１４を介して熱交換部１２から温調部１１に供給された冷却水に熱的に接触していることにより、冷却水により冷却される。右側ペルティエ素子３７−１は、一方の面が吸熱しているときに、他方の面の放熱が十分行われないと、一方の面を冷却する効率が低下する。右側ペルティエ素子３７−１は、右側温調部材２５−１の右側放熱面が冷却されることによりペルティエ素子の他方の面の放熱が促進されて、冷却効率の低下を防止することができる。
【００３６】
熱交換部１２から温調部１１に供給された冷却水は、右側接触面２６−１の右側放熱面により、身体温冷装置１０が配置される環境の空気の温度より高い温度に加熱される。その加熱された高温の冷却水は、ホース部１４を介して熱交換部１２に供給される。温調部１１から熱交換部１２に供給された高温の冷却水は、吸込み口４１から筐体３１の内部に吸い込まれた空気により、冷却される。その冷却された冷却水は、ホース部１４を介して温調部１１に供給される。筐体３１の内部に吸い込まれた空気は、温調部１１から熱交換部１２に供給された高温の冷却水により、加熱される。その加熱された空気は、吹き出し口４２から筐体３１の外部に吹き出される。
【００３７】
たとえば、制御装置６１は、右側温調部材２５−１の右側接触面２６−１の温度が設定温度より低いときに、右側ペルティエ素子２７−１のうちの右側接触面２６−１に近い側の面が発熱するように、右側ペルティエ素子２７−１に電流を適切に供給する。すなわち、制御装置６１は、右側接触面２６−１の温度が設定温度より低いときに、右側ペルティエ素子２７−１が右側接触面２６−１を冷却するときと逆の電流が右側ペルティエ素子２７−１に流れるように、右側ペルティエ素子２７−１に電流を供給する。右側温調部材２５−１の右側接触面２６−１は、右側ペルティエ素子２７−１のうちの右側接触面２６−１に近い側の面が発熱することにより、加熱される。制御装置６１は、左側接触面２６−２の温度と後側接触面２６−３の温度とが設定温度より低いときに、左側ペルティエ素子２７−２と後側ペルティエ素子２７−３とに電流を適切に供給することにより、左側接触面２６−２と後側接触面２６−３とを加熱する。身体温冷装置１０は、右側接触面２６−１と左側接触面２６−２とが加熱されることにより、利用者６８の頸動脈を設定温度に応じて加熱することができる。利用者６８は、頸動脈が加熱されることにより、頸動脈を流れる血液が適切に加熱され、体温が上昇する。
【００３８】
右側ペルティエ素子２７−１は、右側接触面２６−１に近い側の面が発熱するときに、右側接触面２６−１から遠い側の面が吸熱する。右側温調部材２５−１のうちの右側接触面２６−１の反対側の右側放熱面は、右側ペルティエ素子３７−１のうちの右側接触面２６−１から遠い側の面が吸熱する。身体温冷装置１０が配置される環境の空気の温度が右側接触面２６−１から遠い側の面より低い場合は、右側温調部材２５−１の右側放熱面は、ホース部１４を介して熱交換部１２から温調部１１に供給された冷却水に熱的に接触していることにより、冷却水により加熱される。身体温冷装置１０が配置される環境の空気の温度が右側接触面２６−１から遠い側の面より高い場合は、冷却水を循環させる必要はない。
【００３９】
身体温冷装置１０は、右耳掛け部材２４−１と左耳掛け部材２４−２とが利用者６８の両耳に引っ掛けられることにより、右側温調部材２５−１と左側温調部材２５−２とが下側にずれ落ちることを防止することができる。身体温冷装置１０は、右側温調部材２５−１と左側温調部材２５−２とが下側にずり落ちることが防止されることにより、利用者６８の頸動脈の温度を適切に調節することができ、利用者６８の体温を適切に調節することができる。
【００４０】
吸込み口４１は、右側面部３５と左側面部３６と上面部３７とに形成されていることにより、利用者が着用した衣服７１により塞がれ難い。熱交換部１２は、吸込み口４１が塞がれることが防止されることにより、筐体３１の内部に空気の流れを適切に生成することができ、熱交換器５４が熱交換を適切に行うことができる。身体温冷装置１０は、熱交換器５４が熱交換を適切に行うことにより、利用者６８の体温を適切に調節することができる。
【００４１】
筐体３１の内部では、モータ５６のモータ音、ファン５５の風切り音に例示される騒音が発生している。身体温冷装置１０は、前面部３４に大きな開口部が形成されていないことにより、その騒音が前面部３４の側に漏れることを防止することができ、前面部３４が対向する側に向かって拡散する騒音の程度を低減することができる。
【００４２】
熱交換部１２は、吹き出し口４２から空気が吹き出されることにより、その吹き出される空気をより広い空間に拡散させることができる。身体温冷装置１０は、吹き出される空気は上面部３７、右側面部３５および左側面部３６の方向に拡散されることにより、吹き出される空気の流れが利用者の正面側にいる第三者に直接当たるといった不快感を低減することができる。
【００４３】
吸込み口４１は、吹き出し口４２より背面部３３に近い側に配置されている。身体温冷装置１０は、熱交換器５４により熱交換が行われた空気により背面部３３の温度が変化することを防止することができ、利用者６８の不快感を低減することができる。
【００４４】
図１０は、実施形態の身体温冷システム１の現場監督者端末６を示すブロック図である。現場監督者端末６は、コンピュータであり、ＣＰＵ８１と記憶装置８２と入出力インタフェース８３と表示装置８４とを備えている。ＣＰＵ８１は、制御装置６１にインストールされるコンピュータプログラムを実行することにより、記憶装置８２と入出力インタフェース８３と表示装置８４とを制御する。記憶装置８２は、制御装置６１にインストールされるコンピュータプログラムを記録し、ＣＰＵ８１により利用される情報を記録する。入出力インタフェース８３は、現場監督者端末６に設けられる複数のデバイスに接続されている。複数のデバイスは、入出力装置と通信装置とを含んでいる。通信装置は、通信回線網８に設けられる複数の基地局と無線通信し、通信回線網８を介してサーバ２に対して情報を送受信する。通信装置は、さらに、公衆回線網に設けられる複数の基地局と無線通信し、公衆回線網に接続される電話機に音声通話可能に接続する。ＣＰＵ８１は、入出力インタフェース８３を介して、複数のデバイスを制御する。表示装置８４は、ＣＰＵ８１に制御されることにより、所定の画面を表示する。
【００４５】
図１１は、実施形態の身体温冷システム１のサーバ２を示すブロック図である。サーバ２は、コンピュータであり、ＣＰＵ９１と記憶装置９２と入出力インタフェース９３とを備えている。ＣＰＵ９１は、サーバ２にインストールされるコンピュータプログラムを実行することにより、記憶装置９２と入出力インタフェース９３とを制御する。記憶装置９２は、サーバ２にインストールされるコンピュータプログラムを記録し、ＣＰＵ９１により利用される情報を記録する。入出力インタフェース９３は、サーバ２に接続される複数のデバイスに接続されている。複数のデバイスとしては、図示しないキーボード等の入出力装置とイーサネット（登録商標）等の通信装置とが例示される。通信装置は、無線通信回線網７を介して複数の身体温冷装置３と情報を送受信し、通信回線網８を介して警備業者端末５と現場監督者端末６と情報を送受信する。
【００４６】
サーバ２にインストールされるコンピュータプログラムは、サーバ２に設けられた管理情報収集部９４と分析部９５と配信部９６と操作内容収集部９７と制御部としての身体温冷装置制御部９８とで実行されるプログラムを含んでいる。
【００４７】
管理情報収集部９４は、無線通信回線網７を介して複数の身体温冷装置３から複数の管理情報がそれぞれ収集されるように、通信装置を制御する。複数の管理情報のうちの身体温冷装置１０から収集された管理情報は、識別情報と運転状態と検出結果とを示している。識別情報は、複数の身体温冷装置３から身体温冷装置１０を識別することに利用される情報であり、身体温冷装置１０に固有のコードを示している。運転状態は、稼働状態と稼働時間と設定温度とを示している。稼働状態は、「ＯＮ」または「ＯＦＦ」のいずれかを示し、身体温冷装置１０が稼働中であるか否かを示している。稼働時間は、運転開始時刻と運転終了時刻とを示し、身体温冷装置１０が稼働している期間を示している。設定温度は、身体温冷装置１０に設定された設定温度を示している。検出結果は、利用者６８の体温と、利用者６８の心拍数と、身体温冷装置１０の位置とを示している。
【００４８】
分析部９５は、管理情報収集部９４により収集された複数の管理情報が複数の時刻に対応付けて記憶装置９２に記録させる。複数の受信日時のうちのある管理情報に対応する受信日時は、その管理情報が収集された時刻を示している。分析部９５は、複数の管理情報を分析することにより、利用者６８ごとの状態分析結果を作成する。
【００４９】
配信部９６は、通信回線網８を介して分析部９５により作成された状態分析結果が間欠的に警備業者端末５と現場監督者端末６とに配信されるように、通信装置を制御する。
【００５０】
操作内容収集部９７は、通信回線網８を介して警備業者端末５と現場監督者端末６とから操作内容が収集されるように、通信装置を制御する。警備業者端末５から収集された操作内容は、警備業者端末５に入力された内容を示している。現場監督者端末６から収集された操作内容は、現場監督者端末６に入力された内容を示している。
【００５１】
身体温冷装置制御部９８は、無線通信回線網７を介して複数の身体温冷装置３に複数の制御情報がそれぞれ配信されるように、通信装置を制御する。複数の制御情報のうちの身体温冷装置１０に対応する制御情報は、身体温冷装置１０に実行させる動作を示している。制御情報としては、温冷運転を開始させること、設定温度を他の設定温度に変更すること、または、音響装置２９に音声を出力させることが例示される。
【００５２】
分析部９５により作成される状態分析結果は、図１２に示されているように、現場監督者端末６の表示装置８４に表示される状態分析結果画面１００を示している。図１２は、実施形態の身体温冷システム１の警備業者端末５の表示装置８４に表示される状態分析結果画面１００を示す図である。状態分析結果画面１００は、地図画像１０１と分析結果テーブル１０２とを示している。
【００５３】
地図画像１０１は、複数の身体温冷装置３が配置され得る空間に対応し、地図画像１０１に含まれる複数の領域は、空間に含まれる複数の領域に対応している。地図画像１０１は、複数の地図記号１０３と複数の利用者位置記号１０４とを示している。複数の地図記号１０３は、その空間に配置される複数の構造物に対応している。複数の地図記号１０３のうちのある構造物に対応する地図記号は、その構造物の大まかな外観を示し、地図記号が描かれている位置は、その構造物が配置される位置を示している。
【００５４】
複数の利用者位置記号１０４は、複数の身体温冷装置３に対応している。複数の利用者位置記号１０４のうちの身体温冷装置１０に対応する利用者位置記号は、身体温冷装置１０が配置されている位置を示し、その利用者位置記号が描かれている位置が、身体温冷装置１０が配置される位置を示している。地図画像１０１は、現場監督者端末６を利用する現場監督者に判り易く、身体温冷装置１０が配置される位置を示すことができる。
【００５５】
分析結果テーブル１０２は、複数の名前１１１を複数の管理情報１１２と複数の疲労度１１３とに対応付けている。複数の名前１１１は、複数の身体温冷装置３を示し複数の身体温冷装置３に対応付けられた複数の番号と、複数の身体温冷装置３に対応付けられた複数の文字列とを示している。複数の管理情報１１２のうちのある名前に対応する管理情報は、その名前が示す身体温冷装置１０から収集された管理情報を示している。管理情報は、運転状態１１４と体温１１５と心拍数１１６と場所１１７とを示している。運転状態１１４は、身体温冷装置１０の運転状態を示し、身体温冷装置１０の稼働状態と稼働時間と設定温度とを示している。体温１１５は、身体温冷装置１０の生体情報センサ２８により測定された体温を示している。心拍数１１６は、身体温冷装置１０の生体情報センサ２８により測定された心拍数を示している。場所１１７は、身体温冷装置１０の位置センサ６６により測定された位置を示している。複数の疲労度１１３のうちの身体温冷装置１０に対応する疲労度は、身体温冷装置１０の管理情報に基づいて分析部９５により算出された疲労度を示し、身体温冷装置１０の利用者６８の疲労度を示している。
【００５６】
状態分析結果画面１００は、さらに、アラーム装置入力欄１２１とアラームボタン１２２と緊急連絡装置入力欄１２３と緊急連絡ボタン１２４とを含んでいる。アラーム装置入力欄１２１は、現場監督者端末６の入力装置によりアラーム装置入力欄１２１が選択されたときに、現場監督者端末６の入力装置により入力された番号が表示される。現場監督者端末６は、現場監督者端末６の入力装置によりアラームボタン１２２が選択されたときに、操作内容をサーバ２に送信する。緊急連絡装置入力欄１２３は、現場監督者端末６の入力装置により緊急連絡装置入力欄１２３が選択されたときに、現場監督者端末６の入力装置により入力された番号が表示される。現場監督者端末６は、現場監督者端末６の入力装置により緊急連絡ボタン１２４が選択されたときに、操作内容をサーバ２に送信する。操作内容は、アラームボタン１２２と緊急連絡ボタン１２４とのうちの選択されたボタンを示している。操作内容は、アラームボタン１２２が選択されたときに、アラーム装置入力欄１２１に表示される番号をさらに示し、緊急連絡ボタン１２４が選択されたときに、緊急連絡装置入力欄１２３に表示される番号をさらに示している。現場監督者端末６は、緊急連絡ボタン１２４が選択されたときに、さらに、公衆回線網を介して緊急連絡先に接続する。
【００５７】
現場監督者端末６は、現場監督者端末６の入力装置が操作されることにより、分析結果テーブル１０２の運転状態１１４を更新する。現場監督者端末６は、運転状態１１４が更新されたときに、操作内容をサーバ２に送信する。操作内容は、運転状態１１４が更新されたときに、複数の身体温冷装置３のうちの更新された運転状態１１４に対応する身体温冷装置１０の番号と、運転状態１１４が更新された更新内容とを示している。
【００５８】
図１３は、実施形態の身体温冷システム１の動作を示すシーケンス図である。身体温冷装置１０の制御装置６１は、間欠的に、生体情報センサ２８を制御することにより、利用者の体温と利用者の心拍数とを測定する。制御装置６１は、さらに、間欠的に、位置センサ６６を制御することにより、身体温冷装置１０が配置される位置を測定する。制御装置６１は、身体温冷装置１０が温冷運転を開始すると、記憶装置６３を制御することにより、その温冷運転が開始された運転開始時刻を記憶装置６３に記録する。制御装置６１は、身体温冷装置１０が温冷運転を終了すると、記憶装置６３を制御することにより、その温冷運転が終了された運転終了時刻を記憶装置６３に記録する。制御装置６１は、さらに、間欠的に管理情報を作成する（ステップＳ１）。制御装置６１は、管理情報が作成されると、通信装置６５を制御することにより、その作成された管理情報をサーバ２に送信する（ステップＳ２）。
【００５９】
サーバ２は、身体温冷装置１０から管理情報を受信すると、記憶装置９２を制御することにより、その管理情報を受信日時に対応付けて記憶装置９２に記録する。サーバ２は、複数の身体温冷装置３から複数の管理情報をそれぞれ受信すると、その複数の管理情報を分析することにより、状態分析結果を作成する（ステップＳ３）。サーバ２は、状態分析結果が作成されると、警備業者端末５と現場監督者端末６とに状態分析結果を配信する（ステップＳ４）。現場監督者端末６は、サーバ２から状態分析結果を受信すると、表示装置８４を制御することにより、状態分析結果が示す状態分析結果画面１００を表示装置８４に表示する（ステップＳ５）。
【００６０】
現場監督者端末６を利用する現場監督者は、状態分析結果画面１００を閲覧して、複数の身体温冷装置３のそれぞれを利用する複数の利用者からサービスを必要とする利用者を選択する。所定のサービスとしては、身体温冷装置１０の利用者６８を医療機関に救急搬送する、身体温冷装置１０の利用者６８に問い合わせを行う、身体温冷装置１０の遠隔操作を行う等が例示される。現場監督者は、その選択された利用者が必要とするサービスが利用者のもとで提供できるものであるときに、状態分析結果画面１００の地図画像１０１を参照して、利用者のもとに駆け付け、利用者にそのサービスを提供する。現場監督者は、その選択された利用者が必要とするサービスが身体温冷装置１０の動作で提供できるものであるときに、所定の操作を現場監督者端末６に施す。たとえば、現場監督者は、アラームボタン１２２または緊急連絡ボタン１２４を選択したり、状態分析結果画面１００の分析結果テーブル１０２の運転状態１１４を更新したりする。現場監督者端末６は、現場監督者により所定の操作が施されたときに（ステップＳ６、Ｙｅｓ）、通信回線網８を介して、その操作内容をサーバ２に送信する（ステップＳ７）。
【００６１】
現場監督者端末６は、緊急連絡ボタン１２４が選択されたときに、さらに、図示しない公衆回線網を介して緊急連絡先に接続する。緊急連絡先としては、消防署が例示される。このとき、現場監督者は、現場監督者端末６を介して緊急連絡先と通話し、緊急連絡先に所定のサービスを申請することができる。ここでは、所定のサービスとして、身体温冷装置１０の利用者６８を医療機関に救急搬送することが例示される。
【００６２】
サーバ２は、現場監督者端末６から操作内容を受信すると（ステップＳ８、Ｙｅｓ）、操作内容に基づいて制御情報を作成する（ステップＳ９）。制御情報は、操作内容が運転状態１１４の更新内容を示しているときに、身体温冷装置１０に実行させる動作を示している。たとえば、制御情報は、稼働状態が「ＯＦＦ」から「ＯＮ」に変更されたことを更新内容が示しているときに、身体温冷装置１０に温冷運転を開始させることを示している。たとえば、制御情報は、設定温度が新規の設定温度に変更されたことを更新内容が示しているときに、身体温冷装置１０に設定温度を新規の設定温度に変更させることを示している。また、制御情報は、操作内容がアラームボタン１２２を示しているときに、音響装置２９にアラーム音を出力させることを示している。サーバ２は、制御情報が作成されると、複数の身体温冷装置３のうちの操作内容が示す番号に対応する身体温冷装置１０に、その作成された制御情報を配信する（ステップＳ１０）。
【００６３】
身体温冷装置１０の制御装置６１は、サーバ２から制御情報を受信すると、制御情報が示す動作が実行されるように、身体温冷装置１０に設けられる複数のデバイスを制御する（ステップＳ１１）。たとえば、制御装置６１は、温冷運転を開始させることを示しているときに、身体温冷装置１０による温冷運転を開始する。制御装置６１は、設定温度を新規の設定温度に変更させることを示しているときに、設定温度を新規の設定温度に変更する。制御装置６１は、制御情報が音響装置２９にアラーム音を出力させることを示しているときに、音響装置２９を制御することにより、アラーム音を出力する。
【００６４】
このような動作によれば、身体温冷システム１は、身体温冷装置１０の利用者６８に様々なサービスを適切なタイミングで提供することができる。
【００６５】
［実施形態の身体温冷システム１の効果］
実施形態の身体温冷システム１は、利用者６８の体温を調節する身体温冷装置１０と、無線通信回線網７を介して身体温冷装置１０と情報伝達可能に接続されるサーバ２と、サーバ２と情報伝達可能に接続される現場監督者端末６とを備えている。サーバ２は、管理情報を身体温冷装置１０から収集する管理情報収集部９４と、管理情報を分析することにより状態分析結果を作成する分析部９５と、状態分析結果を現場監督者端末６に配信する配信部９６とを備えている。このような身体温冷システム１は、現場監督者端末６を利用する現場監督者に、身体温冷装置１０の利用者６８の状態を判り易く通知することができる。現場監督者は、身体温冷装置１０の利用者６８の状態を入手することにより、様々なサービスを適切なタイミングで利用者６８に提供することができる。
【００６６】
また、実施形態の身体温冷システム１の管理情報は、身体温冷装置１０が配置される位置を示している。このような身体温冷システム１は、現場監督者端末６を利用する現場監督者に、身体温冷装置１０の利用者６８の位置を通知することができる。現場監督者は、利用者６８の位置を取得することにより、利用者６８のもとに駆け付け、所定のサービスを利用者６８に提供することができる。
【００６７】
また、実施形態の身体温冷システム１の状態分析結果は、位置を地図上に表現する地図画像１０１を示している。現場監督者端末６は、地図画像１０１を表示装置８４に表示する。このような身体温冷システム１は、現場監督者端末６を利用する現場監督者に、身体温冷装置１０の利用者６８の位置を判り易く通知することができる。現場監督者は、地図画像１０１を取得することにより、利用者６８のもとに適切に駆け付けることができる。
【００６８】
また、実施形態の身体温冷システム１のサーバ２は、制御情報を身体温冷装置１０に配信する身体温冷装置制御部９８をさらに有している。身体温冷装置１０は、制御情報を受信したときに、制御情報が示す所定の動作を実行する。このような身体温冷システム１は、利用者６８の身体温冷装置１０の操作によらないサービスを利用者６８に提供することができる。
【００６９】
実施形態の身体温冷装置１０は、利用者６８の体温を調節する温調部１１と、温調部の運転に関する管理情報を作成する制御装置６１と、無線通信回線網７を介して管理情報をサーバ２に送信する通信装置６５とを備えている。このような身体温冷装置１０は、身体温冷システム１を介して様々なサービスを適切なタイミングで利用者６８に提供されるように、動作することができる。
【００７０】
また、実施形態の身体温冷装置１０は、温調部１１が配置される位置を測定する位置センサ６６をさらに備えている。このとき、管理情報は、位置をさらに示している。このような身体温冷装置１０は、身体温冷装置１０の位置を適切に現場監督者に通知することができ、様々なサービスを適切なタイミングで利用者６８に提供されるように、動作することができる。
【００７１】
また、実施形態の身体温冷装置１０の通信装置６５は、無線通信回線網７を介してサーバ２から制御情報を受信する。このとき、制御装置６１は、制御情報に基づいて温調部１１を制御する。このような身体温冷装置１０は、様々なサービスを適切なタイミングで利用者６８に提供することができる。
【００７２】
また、実施形態の身体温冷装置１０は、音響装置２９をさらに備えている。制御装置は、制御情報が示す音声が音響装置２９から出力されるように音響装置２９を制御する。このような身体温冷装置１０は、音声を利用者６８に通知するサービスを適切なタイミングで利用者６８に提供することができる。
【００７３】
ところで、既述の身体温冷装置１０は、位置センサ６６を備えているが、位置センサ６６を省略してもよい。このとき、サーバ２は、無線通信回線網７に設けられる複数の基地局のうちの身体温冷装置１０と無線通信する基地局が配置される位置に基づいて、身体温冷装置１０が配置される位置を算出する。身体温冷システム１は、位置センサ６６が省略された場合でも、様々なサービスを適切なタイミングで利用者６８に提供することができる。
【００７４】
ところで、既述の実施形態の身体温冷システム１のサーバ２は、操作内容に基づいて制御情報を作成しているが、管理情報に基づいて自動的に制御情報を作成してもよい。身体温冷システム１は、制御情報が管理情報に基づいて自動的に作成される場合でも、様々なサービスを適切なタイミングで利用者６８に提供することができる。
【００７５】
以上、実施例を説明したが、前述した内容により実施例が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、実施例の要旨を逸脱しない範囲で構成要素の種々の省略、置換及び変更のうち少なくとも１つを行うことができる。
【符号の説明】
【００７６】
１      ：身体温冷システム
２      ：サーバ
３      ：複数の身体温冷装置
５      ：警備業者端末
６      ：現場監督者端末
７      ：無線通信回線網
８      ：通信回線網
１０    ：身体温冷装置
１１    ：温調部
２８    ：生体情報センサ
２９    ：音響装置
６１    ：制御装置
６６    ：位置センサ
８４    ：表示装置
９５    ：分析部
９６    ：配信部
９７    ：操作内容収集部
９８    ：身体温冷装置制御部
１００  ：状態分析結果画面
１０１  ：地図画像
【図１】
2020061101.tif 000003
【図２】
2020061101.tif 000004
【図３】
2020061101.tif 000005
【図４】
2020061101.tif 000006
【図５】
2020061101.tif 000007
【図６】
2020061101.tif 000008
【図７】
2020061101.tif 000009
【図８】
2020061101.tif 000010
【図９】
2020061101.tif 000011
【図１０】
2020061101.tif 000012
【図１１】
2020061101.tif 000013
【図１２】
2020061101.tif 000014
【図１３】
2020061101.tif 000015